(57)【要約】  個人的システムまたは検索システムにおける検索結果は、検索基準に対して表されるアイテムの関連性に依存する視聴者に対する近接性又はサイズのような図形の特徴を有する要素により図形的に表される。検索された利用可能なアイテムの全ては、好適には、検索基準にマッチングする（非マッチングから区別されるマッチングを用いる）かどうかに拘わらず、表示され、指定基準に対する関連性のある度合いを有するように決定されるアイテムに関してユーザに提供する。図形要素は、クエリ要素を検索するための変更又は検索されるために利用可能なアイテムのプールに対する変更のような条件の変更により更新される。類似する又は関連する結果がリンクされることが可能である。
2005515553.tif 000002
【特許請求の範囲】
【請求項１】
検索プールにおける各々の利用可能なアイテムの複数の図形要素表示を生成する表示制御器；
を有する表示システムであって、
各々の図形要素の図形の特徴は指定基準に対する関連アイテムの関連性に依存し；
前記図形要素は前記指定基準又は前記検索プールに対するいずれの変化に応じて更新される；
ことを特徴とする表示システム。
【請求項２】
請求項１に記載の表示システムであって、指定基準に対して前記関連アイテムの前記関連性に依存する各々の図形要素の前記図形の特徴は、視聴者に対する前記図形要素の知覚近接性又は図形要素のサイズの１つを更に有する、ことを特徴とする表示システム。
【請求項３】
請求項１に記載の表示システムであって、１つ又はそれ以上の図形要素は、検索プールにおいて複数のアイテムを表し、前記複数のアイテムの副集合を各々表す付加的な図形要素の拡大表示をトリガするユーザ制御としての役割を果たす、ことを特徴とする表示システム。
【請求項４】
請求項１に記載の表示システムであって、前記指定基準が、検索クエリ要素を追加する、削除する又は修正する或いはユーザプロファイルを更新することにより変更されるときはいつでも、前記図形要素は更新される、ことを特徴とする表示システム。
【請求項５】
請求項１に記載の表示システムであって、アイテムが前記検索プールに追加される又は前記検索プールから削除されるときはいつでも、前記図形要素は更新される、ことを特徴とする表示システム。
【請求項６】
コンテンツと該コンテンツに関する情報アイテムとを受信する入力であって、前記情報アイテムは検索プールを生成する、入力；並びに
前記検索プールに関する検索からの検索結果を受信し、検索プールにおける各々の利用可能なアイテムを表す複数の図形要素を生成する表示制御器；
を有するコンテンツ受信システムであって、
各々の図形要素の図形の特徴は指定基準に対する前記関連アイテムの関連性に依存し；
前記図形要素は前記指定基準又は前記検索プールに対するいずれの変化に応じて更新される；
ことを特徴とするコンテンツ受信システム。
【請求項７】
コンテンツ及び該コンテンツに関する情報アイテムを受信する段階であって、前記情報アイテムは検索プールを生成する、段階；
前記指定基準に対して各々の情報アイテムの関連性を生成するために指定基準を利用する前記検索プールを検索する段階；並びに
検索プールにおいて各々の利用可能なアイテムを表す複数の図形要素を生成する段階；
を有するコンテンツ検索及び結果表示方法であって、
各々の図形要素の図形の特徴は指定基準に対して前記関連アイテムの関連性に依存し；並びに
前記図形要素は前記指定基準又は前記検索プールに対するいずれの変化に応じて更新される；
ことを特徴とするコンテンツ検索及び結果表示方法。
【請求項８】
検索プールにおいて各々の利用可能なアイテムを表す複数の図形要素；
を有する信号であって、
各々の図形要素の図形の特徴は指定基準に対して前記関連アイテムの関連性に依存し；並びに
各々の図形要素は前記指定基準又は前記検索プールに対するいずれの変化に応じて更新される；
ことを特徴とする信号。
【発明の詳細な説明】
【技術分野】
【０００１】
本発明は、一般に、検索システムに関し、更に詳細には、図形環境における検索結果の保存に関する。
【背景技術】
【０００２】
現在の検索システムの形態は、典型的には、見つけ出されたコンテンツを示すための順序付けられたリストを利用する。例えば、推薦を利用する検索システムは、しばしば、リストの最上部に検索結果における最も関連する情報を置く。しかしながら、その結果は、しばしば、１つのユーザインタフェース表示装置においてリストアップすることができるより非常に多いため、ユーザは、しばしば、結果の全部の集合がどれ位大きいか或いは表示される結果が現在の検索又は分類基準にどのように関連しているかについて全く意識していない。
【０００３】
更に、現在のシステムからの検索結果は一般に動的でないが、検索基準又は検索分野が正確な結果を得るために変化するときはいつでも、検索が再実行されることが必要である。このような理由のために、ユーザは、しばしば、変化する検索基準がどのように結果に影響を与えるかについてすぐに理解することができない。
【発明の開示】
【発明が解決しようとする課題】
【０００４】
従って、当該技術分野において、動的更新を伴う限定視野における大量のデータを表す検索結果のゲシュタルトビューを提供することに対する要請が存在している。  
【課題を解決するための手段】
【０００５】
上記の先行技術の不具合に対処するために、本発明の主な目的は、コンテンツ受信システムにおいて用いるために、個人的システム又は検索システムにおける検索結果のためのプレゼンテーション技術を提供することである。検索結果は、検索結果の全体的集合の属性を表す各々の軸を用いて二次元又は三次元的に図形表示される。視聴者に対する近接性は、例えば、ユーザプロファイルに基づくコンテンツの評価を表すことが可能である。図形要素は、検索クエリ要素に対する変化又は検索されるために利用可能なアイテムの集積に対する変化のような条件変化により更新される。
【０００６】
前記は、当業者が以下に続く本発明の詳細説明をより理解することができるように、本発明の特徴及び技術的優位性をかなり広く概観したものである。本発明の請求項の主題を構成する本発明の追加の特徴及び優位性について、以下に説明することとする。当業者は、当業者が本発明の同じ目的を実行するために他の構成をデザインする又は修正することが容易に可能であることを理解するであろう。当業者は又、そのような同等な構成が、本発明の最も広い構成についての範囲及び主旨から逸脱するものではないことを認識するであろう。
【０００７】
下の、発明を実施するための最良の形態を理解する前に、本発明の明細書を通して用いる特定の用語又は表現についての定義について説明することは都合がよい。“有する”及びこの用語から派生したことばは、有することを意味するが、これに限定されるものではない。用語“関連する”及びこの用語から派生したことばは、有する、内部に有する、相互関連する、接続する、結合する、伝達可能である、協働する、インタリーブする、並列する、近接する、隣接する、所有する、及び／又は、属性を有する、を意味するが、これに限定されるものではない。用語“制御器”は、少なくとも１つの操作を制御する、装置、システム又はそれらの一部であって、そのような装置は、ハードウェア、ファームウェア、ソフトウェア又はそれらの少なくとも２つの任意の組み合わせを意味する。いずれの特定の制御器に関連する機能性は、集中させること又は分散させることが可能であり、近くに置くことも遠くに置くことも可能である。特定の用語及び表現についての定義は本発明の明細書を通して用いられ、当業者は、そのような定義が、多くの場合であって、殆どの場合でないにしても、そのような定義された用語及び表現を上記の及び下記の例に適用することを理解するであろう。
【発明を実施するための最良の形態】
【０００８】
以下に説明するような図１乃至３、及び本明細書における本発明の原理を説明するために用いる種々の実施形態は、単に例示としてであって、本発明の範囲を限定するために多少なりとも解釈されるべきものではない。当業者は、本発明の原理がいずれかの適切に配列された装置において実施されることが、理解するであろう。
【０００９】
図１は、本発明の一実施形態に従った検索結果保存機構を使用するコンテンツ信システムを示している。コンテンツ受信システム１００において、制御器１０２は、放送設備或いは放送又はインターネットコンテンツサーバ、並びに随意的な関連コンテンツのような１つ又はそれ以上の外部ソースから利用可能なコンテンツに関する情報を少なくとも受信する。従って、制御器１０１は、テレビ、衛星放送デコーダユニット、地上放送デコーダユニット又はケーブル放送デコーダユニット等の映像受信器１１０において、地上無線受信器、衛星無線受信器、コンパクトディスクプレーヤ又はデジタルオーディオプレーヤ等のオーディオ受信器１１１において、或いは、セットトップボックス、パーソナルコンピュータ等のインターネットアクセス装置１１２において、実施されることが可能である。従って、制御器１０１は、１つ又はそれ以上の映像受信器１１０、オーディオ受信器１１１、インターネットアクセス装置１１２及びオプションとして含まれる一体型表示装置等を制御するために適合されるリモート制御装置１１３に実施されることが可能である。制御器１０１は又、映像受信器１１０、音声受信器１１１、インターネットアクセス装置１１２及びリモート制御装置１１３を構成する２つまたはそれ以上の装置内に配置される種々の部分を用いて、分散方式で実施されることが可能である。
【００１０】
しかしながら、実施されるコンテンツ受信システム制御器１０１は、少なくとも１つ又はそれ以上の外部ソースから利用可能なコンテンツに関する情報を受信するための入力１０２を有し、コンテンツ、制御信号及び／又はユーザインタフェースデータを受信器、表示装置又は記録装置に送信するための出力１０３を有してもよい。
【００１１】
当業者は、コンテンツ受信システムの全部の構成及び動作については、ここでは、図示せず又は説明しないことを理解するであろう。それに代えて、簡単化及び明確化のために、本発明に特異であるか又は本発明のために必要であるようなコンテンツ受信システム制御器の構成及び動作と本発明の理解のみについて図示し、説明することとする。制御装置の残りの構成及び動作については、当該技術分野において知られている従来の方法に従うことが可能である。更に、映像受信器、音声受信器、インターネットアクセス装置及びリモート制御装置を、例示としての実施形態において使用するが、ここで説明する機能が、例えば、ゲーム装置のような他のタイプの装置に容易に適合することが可能であり、それ故、コンテンツの他のフォームを使用することが可能であることを当業者は理解するであろう。
【００１２】
例示としての実施形態において、制御器１０１は、検索結果表示モジュール又は機能性１０５を有する制御アルゴリズム又はプログラマブル論理回路１０４を有する。制御器１０４に通信可能であるように結合されたユーザインタフェース１０６は、例えば、赤外線リモート制御器、タッチスクリーン又は入力ボタンからのユーザ入力を可能にする。ユーザインタフェース１０６は表示装置を有することが可能であり、或いは又、コンテンツ受信システム制御器１０１は離れた表示装置に結合されることが可能である。例示としての実施形態における制御器１０１は又、メモリ１０７であって、好適には不揮発性メモリを有する。メモリ１０７は、利用可能なコンテンツ（例えば、プログラム案内）についての受信された情報１０８を随意に保存するために、及び１つ又はそれ以上のユーザプロファイル１０９を保存するために、有する。示した例におけるユーザプロファイル１０９は、
各々のアイテム又は属性に関連して、それぞれのアイテムに対するユーザの評価値とアイテムタイプとを有するユーザ嗜好の明示的プロファイルであり、明確なユーザ評価及び収集された履歴視聴情報を有することが可能である。ユーザプロファイルの他のフォームが又用いられることが可能である。表示制御器１０５とユーザプロファイル１０９は、勿論、制御器１０１からリモートシステムに位置付けられ、制御器１０１に表示データを送信することが可能である。
【００１３】
例示としての実施形態において、制御器１０１は、コンテンツ（即ち、プログラム案内アイテム）に関する情報１０８の各々のアイテムにおける属性とコンテンツの提案を生成するために現時点で選択されたユーザプロファイル１０９におけるそのような属性についての評価値とを使用する。本発明においては、下で更に詳細に説明するように、結果は、結果の全体的な視覚化を容易にする方法で提供される。更に、例示的な実施形態は推薦システムに関連する一方、本発明は検索結果表示機構を使用するいずれのデータ処理システムと共に使用されることが可能であることを、当業者は認識するであろう。
【００１４】
図２は、本発明の一実施形態に従った検索結果プレゼンテーション機構を使用するコンテンツ受信システム制御器のためのユーザインタフェース表示のモックアップである。示しているユーザインタフェースは、例えば、図１に示している制御器１０１により使用される。この例示的な実施形態にあるような、現在、使用可能である映像プログラムのような検索分野を用いて、特定の検索結果として、大量なデータが生成されることが可能である。実際、個人的なシステムにおいてユーザに最も関連するコンテンツに対して数百の放送チャンネルに亘る利用可能な映像プログラムを単純に検索するとき、得られる結果は、他より実質的に高いランキングを明らかに有する幾つかの結果と共に、利用可能な映像プログラムの全体的範囲を有することができる。本発明においては、コンテンツの全体的視覚化を容易にする方法で結果を表示することにより対応する。
【００１５】
図２におけるユーザインタフェース表示２００において、検索結果２０１は、図形要素により表されるコンテンツの現時点で利用可能なプールにおけるコンテンツの各々の利用可能なアイテムと共に表示される。示している例において、コンテンツの各々のアイテムは、表されるアイテムの異なる属性に依存するテクスチャ／パターン、色、サイズ、動き及び位置のような属性を有する球により表される。例えば、色またはパターンは、プログラムのジャンル又はタイプ（例えば、スポーツ、トークショー、ニュース等）を有することが可能である。アクティブなユーザプロファイル（即ち、それぞれのプログラムに対して推薦がどれ位高いか）に対するコンテンツの特定のアイテムの関連性は又、コンテンツのアイテム（即ち、より関連するアイテムは大きいサイズを有する）を表す図形要素のサイズにより示す例においては、ユーザインタフェース表示２００において図形的に表示される。３次元ユーザインタフェース表示において視聴者により密接なより関連性のあるコンテンツに対して図形要素を示すような、関連性を表す他の図形技術を用いることが可能である。
【００１６】
結果２０１により表される推薦を生成する上で使用される検索オプション２０２とアクティブプロファイル２０３は又、現時点で選択された検索基準２０４の表示と共に、ユーザインタフェース表示２００において表示される。又、マッチングしたコンテンツのみのスクロール可能な結果リスト２０５が表示され、評価、タイトル又はある他の分類キー或いは分類キーの組み合わせにより分類される。
【００１７】
検索基準２０４の変更は、図形２０１のより表されるアイテムの数を変化させることなく、結果のリスト２０５（結果の数を有する）と検索プール図形２０１（即ち、異なるアイテムは大きくすることが可能である）における結果の表示とを変化させる。同様に、推薦を生成する上で使用されるアクティブプロファイル２０３の変更は図形２０１において表されるアイテムの数を変更しないが、幾つかのアイテムの表示を変化させる。好適には、全体的な検索分野は、ユーザインタフェース表示において図形的に表示され、アクティブユーザプロファイルに対する関連性にマッチしない又はそれを有しないアイテムを有する。マッチング性は、例えば、マッチングしたプログラムを表す図形対象をハイライトすることにより、区別されることが可能である。しかしながら、全体的な検索分野の表示を示すことにより、ユーザは、マッチングした検索結果が利用可能なコンテンツの全体的実体にどのように関連しているかについての全体的認識を与えられる。
【００１８】
コンテンツの図形表示は動的であって、検索クエリ構築又は検索分野へのアイテムの追加或いはそれからのアイテムの削除、又は検索される情報のプール或いはデータベースに対する変化のような条件の変化に対してリアルタイムに更新することができる。前者は、異なるユーザプロファイルがアクティブプロファイルとして選択されるとき、推薦システムにおいて生じることが可能である一方、後者は、利用可能なプログラムは消滅して異なるコンテンツに置き換えられる（例えば、１時間毎又は３０分毎の変更）とき、生じることが可能である。
【００１９】
例示としての実施形態において、ユーザは、多くのアクションショーが全体的な検索プールにおいてどのように存在するか、そして、検索プールのどの部分がアクションショーを有するかについて理解することができる。コメディーに対する検索基準を変更することにより、そして図形に対する動的更新を得ることにより、ユーザは、検索プールにおいて多くのコメディーがどのように存在するか、そして、どれ位の数がアクションプログラムの数に関連して存在するかについて、直ちに理解することができる。
【００２０】
示している例において、より高い推薦のプログラムは、視聴者に対してより大きい及び／又は小さいため、より小さい対象の数は、ユーザに、どれ位多くのコンテンツが視聴者の嗜好に関連しているかの全体的視覚化を提供する。垂直方向及び水平方向の軸は、タイトル（アルファベット順の順序）、日時、チャンネル又はいずれの他の属性のような他の
情報を示すことが可能である。
【００２１】
コンテンツの図形表示に対する動的更新は、条件の変化により暗示的に指示され、そして明示的に支持される。例えば、少なくとも一部において、ユーザの嗜好を規定するための履歴視聴データを使用するシステムは、システムが現在のユーザについて更に学習するに（例えば、ユーザによる視聴選択が起こる）つれて、コンテンツの表示を更新することが可能である。
【００２２】
データの全体的な視覚化を容易にする方法における大量のデータのプレゼンテーションにより達成される優位性は、ユーザが利用可能な他の全てのコンテンツに関連してクエリ（又は、現時点のユーザのプロファイル）により位置付けされる関連コンテンツを見ることができることである。これは、個人的なシステムがユーザの利益に関してどのように機能するかについてのよりよい理解を提供し、結果の改善を実現するためにユーザがシステムを修正することを支援する。更に、好適には、ユーザは、ユーザインタフェース表示において表示される関連コンテンツと双方向的交流を行うことができ、当たらしいく襟（又は、現時点のユーザプロファイルの修正）におけるベースとして用いるためのコンテンツの表示を選択することができ、ここで、コンテンツのアイテムは、名詞−動詞の図式インタフェースモデルにおける名詞として役割を果たす。
【００２３】
本発明に従ったデータノ表示は、ユーザに対して利用可能な選択の全てを視覚化する。ユーザインタフェースによる特定のクエリ構築の場合、好適には、視覚化は現時点のアクティブなクエリにマッチングするアイテム全てをハイライトする（或いは又、図式的に区別する）。クエリ構築ツールが壊れるか又は視覚化できなくなったとき、好適には、全体的視覚化は、クエリの結果リストにおける１つのアクティブなアイテムのみをハイライトする。
【００２４】
図３は、本発明の一実施形態に従った残タイ的視覚化を用意にする方法におけるデータを表示するプロセスのための高水準のフローチャートを示している。プロセス３００は、関連性スコアに関する結果の受信から開始する（段階３０１）。各々の結果を表す図形要素は、関連性スコアと調和する特徴（例えば、サイズ又は視聴者に対する近接性）が生成され（段階３０２）、それら図形要素が表示される（段階３０３）。
【００２５】
基礎となるクエリに対する変更又は検索された情報のプールにおける変化のような条件の変化が生じる（段階３０４）場合、更新された結果及び関連スコアが得られ（段階３０５）、得られた結果を表す当たらしい図形要素が生成される（段階３０２）。このプロセスは、ユーザが表示をクリアすること及び／又は他の機能の選択することにより中断されるまで、継続する。
【００２６】
本発明は、図式的に通信される関連性と必要なものとして動的に更新される結果とを用いて、視聴者によるデータの全体的な視覚化を容易にする方法で限定された視聴領域における検索結果のような大量のデータを表示するための機構を提供する。
【００２７】
以上、本発明について、十分機能的なシステムとの関連で説明したが、少なくとも本発明の機構の一部が種々のフォームの指令を有する機械使用可能媒体のフォームに分配されることが可能であり、本発明はその分配を実際に実行するために利用される特定タイプの信号担持媒体に関係なく同様に適用されることに留意することは重要であり、これについて、当業者は理解するであろう。機械使用可能媒体の例は、読み出し専用メモリ（ＲＯＭ）又は消去可能の電気的消却プログラム可能型読取専用メモリ（ＥＥＰＲＯＭ）のような不揮発性のハードコード化タイプ媒体、フロッピー(登録商標)ディスク、ハードディスクドライブ、ＣＤ−ＲＯＭ又はＤＶＤのような記録可能タイプ媒体、及びデジタル通信リンク及びアナログ通信リンクのような送信タイプ媒体を有する。
【００２８】
本発明について詳述したが、以上、説明した本発明の種々の変形、置き換え、多種、エンハンスメント、ニュアンス、階調、少ないフォーム、変更、改良及び類似は、本発明の広い形態において本発明の範囲及び主旨から逸脱することなく、実行されることが可能であることを、当業者は理解するであろう。
【図面の簡単な説明】
【００２９】
【図１】本発明の一実施形態に従った、検索結果プレゼンテーション機構を使用するコンテンツ受信システムを示す図である。
【図２】本発明の一実施形態に従った、検索結果プレゼンテーション機構を使用するコンテンツ受信システム制御器のためのユーザインタフェース表示装置のモックアップを示す図である。
【図３】本発明の一実施形態に従った、全体的視覚化を容易にする方法におけるデータを表示するプロセスのための高レベルのフローチャートである。
【図１】
2005515553.tif 000003
【図２】
2005515553.tif 000004
【図３】
2005515553.tif 000005
【国際調査報告】
2005515553.tif 000006
2005515553.tif 000007